(57)【要約】【課題】本発明の課題は、ＰＷＭ駆動信号用配線パターン付近で発生する磁界変動の影響を抑制できる光ディスク装置を提供することである。【解決手段】上記課題は、モータの駆動をＰＷＭ（Ｐｕｌｓｅ　　Ｗｉｄｅ　　Ｍｏｄｕｒａｔｉｏｎ［パルス幅変調］）駆動信号にて行なうＰＷＭ駆動回路を備えた光ディスク装置であって、前記ＰＷＭ駆動回路上に形成されたＰＷＭ駆動信号用配線パターンと他の配線パターンとの間を所定間隔離すことを特徴とする光ディスク装置にて解決される。【選択図】　図１
2004118964.tif 000002
【特許請求の範囲】
【請求項１】
モータを駆動するパルス幅変調駆動信号を生成するパルス幅変調駆動回路を備えた光ディスク装置であって、
前記パルス幅変調駆動回路上に形成されたパルス幅変調駆動信号用配線パターンと他の配線パターンとの間を所定間隔離すことを特徴とする光ディスク装置。
【請求項２】
請求項１記載の光ディスク装置であって、
前記パルス幅変調駆動信号用配線パターンと前記他の配線パターンとの間の距離は、
前記他の配線パターンが前記パルス幅変調駆動信号用配線パターン付近の磁界変動の影響を受けないように決定されることを特徴とする光ディスク装置。
【請求項３】
請求項１又は２記載の光ディスク装置であって、
前記パルス幅変調駆動信号用配線パターンと前記他の配線パターンが可撓性のプリント基板又はケーブル上の配線シート上に形成されたことを特徴とする光ディスク装置。
【請求項４】
モータを駆動するパルス幅変調駆動信号を生成するパルス幅変調駆動回路を備えた光ディスク装置であって、
前記パルス幅変調駆動回路上に形成されたパルス幅変調駆動信号用配線パターンと他の配線パターンとの間にＧＮＤパターンを形成することを特徴とする光ディスク装置。
【請求項５】
請求項４記載の光ディスク装置であって、
前記パルス幅変調駆動回路上に形成されたパルス幅変調駆動信号用配線パターンと他の配線パターンとの間に形成されるＧＮＤパターンの幅は、前記他の配線パターンが前記パルス幅変調駆動信号用配線パターン付近の磁界変動の影響を受けないように決定されることを特徴とする光ディスク装置。
【請求項６】
請求項１乃至５いずれか記載の光ディスク装置であって、
前記他の配線パターンがアナログ信号を伝達する配線パターンであることを特徴とする光ディスク装置。
【請求項７】
モータを駆動するパルス幅変調駆動信号を生成するパルス幅変調駆動回路を備えたプリント基板であって、
前記パルス幅変調駆動回路上に形成されたパルス幅変調駆動信号用配線パターンと他の配線パターンとの間を所定間隔離すことを特徴とするプリント基板。
【請求項８】
請求項７記載のプリント基板であって、
前記パルス幅変調駆動信号用配線パターンと前記他の配線パターンとの間の距離は、
前記他の配線パターンが前記パルス幅変調駆動信号用配線パターン付近の磁界変動の影響を受けないように決定されることを特徴とするプリント基板。
【請求項９】
モータを駆動するパルス幅変調駆動信号を生成するパルス幅変調駆動回路を備えたプリント基板であって、
前記パルス幅変調駆動回路上に形成されたパルス幅変調駆動信号用配線パターンと他の配線パターンとの間にＧＮＤパターンを形成することを特徴とするプリント基板。
【請求項１０】
請求項９記載のプリント基板であって、
前記パルス幅変調駆動回路上に形成されたパルス幅変調駆動信号用配線パターンと他の配線パターンとの間に形成されるＧＮＤパターンの幅を前記他の配線パターンが前記パルス幅変調駆動信号用配線パターン付近の磁界変動の影響を受けないように決定されることを特徴とするプリント基板。
【請求項１１】
請求項７乃至１０いずれか記載のプリント基板であって、
前記他の配線パターンがアナログ信号を伝達する配線パターンであることを特徴とするプリント基板。
【発明の詳細な説明】
【０００１】
【発明の属する技術分野】
本発明は、光ディスク装置およびその装置で用いられるプリント基板に係り、詳しくは、ＰＷＭ（Ｐｕｌｓｅ　　Ｗｉｄｅ　　Ｍｏｄｕｒａｔｉｏｎ）駆動信号用配線パターン付近で発生する磁界変動の影響を抑制できる光ディスク装置およびその装置で用いられるプリント基板に関する。
【０００２】
【従来の技術】
光ディスク装置、例えば、ＣＤ−ＲＯＭドライブ装置（以下、ＣＤ−ＲＯＭドライブと略記）では、ディスクの駆動にスピンドルモータ（ＣＤ−ＲＯＭドライブでディスクを回転させるモータをいい、高倍速になるほど回転数はアップする）
が用いられている。スピンドルモータの制御方法には、リニア駆動とパルス幅変調（ＰＷＭ）駆動の２つがあり、ＰＷＭ駆動方式は、モータドライバのトランジスタに加える電圧の時間幅を変化させ、任意の電流波形を作成するもので、モータコイルへの通電を高周波でＯＮ／ＯＦＦし、そのＯＮ時間とＯＦＦ時間の比率を変えることにより実効的なモータ電流を変えてモータ速度を制御する駆動方式である。このＰＷＭ駆動方式は、特に大きい消費電力、特に始動時の消費電力を制限するのに用いられる。一方のリニア駆動方式は電気ノイズ特性が比較的低いため、最も一般的なものとなっている。
【０００３】
通常、ＣＤ−ＲＯＭドライブには、スピンドルモータ駆動回路が備えられ、ＰＷＭ駆動ＩＣが同回路に実装されている。このＩＣからはスピンドルモータを駆動させるためのパルス信号、いわゆるＰＷＭ駆動信号が出力され、同回路上のＰＷＭ駆動信号ラインを介して所定の回路に伝達される（特許文献１参照）。
【０００４】
【特許文献１】
特開２０００−３５４３８９号
【０００５】
【発明が解決しようとする課題】
上記のようにＰＷＭ駆動方式では、ＰＷＭ駆動ＩＣから出力されるＰＷＭ駆動信号が高周波のパルス信号であるため、アナログ信号と異なり、信号電圧が瞬時変化する。これにより、ＰＷＭ駆動回路中に流れる電流に変化が生じ、ＰＷＭ駆動信号ライン（パターン）付近の磁界変動が大きくなる。その結果、その磁界変動の影響によって生じた高周波ノイズがＰＷＭ駆動信号ライン（パターン）付近の他の信号ラインに入り込んでしまうといった問題があった。
【０００６】
一般に、デジタル信号はアナログ信号に比べてノイズに強い性質がある。言い換えれば、アナログ信号はデジタル信号よりもノイズに弱い。従来のＰＷＭ駆動回路において、ＰＷＭ駆動信号ライン付近にアナログ信号ラインがあると、前述した磁界変動の影響によって生じた高周波ノイズが、そのアナログ信号ラインに入り込み、アナログ信号の品質が安定しない。その結果、ビットエラーレートを悪化させるなどの欠点があった。また、ＰＷＭ駆動回路に発生する高周波ノイズの影響を抑制できるモータ駆動回路として特許文献１のような出願がある。特許文献１に記載の構成は、金属製のベース基板に絶縁層を介してＰＷＭ駆動回路を形成し、また、ベース基板を低インピーダンス部分に接続することによって、当該ベース基板とＰＷＭ駆動回路の配線パターンとの間に、ノイズ除去用のフィルタコンデンサを形成している。しかしながら、ノイズ除去用のフィルタコンデンサや絶縁層を付加するものであるからコスト低減という意味では好ましくない。
【０００７】
本発明は、上記のような問題点に鑑みてなされたもので、その課題とするところは、ＰＷＭ駆動信号用配線パターン付近で発生する磁界変動の影響を抑制できる光ディスク装置およびその装置で用いられるプリント基板を提供することである。
【０００８】
【課題を解決するための手段】
上記課題を解決するため、本発明は、請求項１に記載されるように、モータを駆動するパルス幅変調駆動信号を生成するパルス幅変調駆動回路を備えた光ディスク装置であって、前記パルス幅変調駆動回路上に形成されたパルス幅変調駆動信号用配線パターンと他の配線パターンとの間を所定間隔離すことを特徴としている。
【０００９】
また、本発明の請求項２は、前記光ディスク装置であって、前記パルス幅変調駆動信号用配線パターンと前記他の配線パターンとの間の距離は、前記他の配線パターンが前記パルス幅変調駆動信号用配線パターン付近の磁界変動の影響を受けないように決定されることを特徴としている。
【００１０】
また、本発明の請求項３は、前記光ディスク装置であって、前記パルス幅変調駆動信号用配線パターンと前記他の配線パターンが可撓性のプリント基板又はケーブル上の配線シート上に形成されたことを特徴としている。
【００１１】
また、本発明の請求項４は、前記光ディスク装置であって、モータを駆動するパルス幅変調駆動信号を生成するパルス幅変調駆動回路を備えた光ディスク装置であって、前記パルス幅変調駆動回路上に形成されたパルス幅変調駆動信号用配線パターンと他の配線パターンとの間にＧＮＤパターンを形成することを特徴としている。
【００１２】
また、本発明の請求項５は、前記光ディスク装置であって、前記パルス幅変調駆動回路上に形成されたパルス幅変調駆動信号用配線パターンと他の配線パターンとの間に形成されるＧＮＤパターンの幅は、前記他の配線パターンが前記パルス幅変調駆動信号用配線パターン付近の磁界変動の影響を受けないように決定されることを特徴としている。
【００１３】
また、本発明の請求項６は、前記光ディスク装置であって、前記他の配線パターンがアナログ信号を伝達する配線パターンであることを特徴としている。
【００１４】
また、上記課題を解決するため、本発明の請求項７は、モータを駆動するパルス幅変調駆動信号を生成するパルス幅変調駆動回路を備えたプリント基板であって、前記パルス幅変調駆動回路上に形成されたパルス幅変調駆動信号用配線パターンと他の配線パターンとの間を所定間隔離すことを特徴としている。
【００１５】
上記本発明の構成によれば、ＰＷＭ駆動信号ライン付近に他の信号ラインとしてアナログ信号ラインが形成されている場合に、ＰＷＭ駆動信号ライン付近に生じる磁界変動の影響をそのアナログ信号ラインが受けないようＰＷＭ駆動信号ラインとアナログ信号ラインを離すようにしている。これにより、磁界変動によって発生した高周波ノイズがアナログ信号ラインに入り込むのを抑えることができる（アナログ信号にのるノイズレベルを低くできる）ようになり、アナログ信号のＳ／Ｎ比が改善される。したがって、ビットエラーレートの悪化を防ぐことが可能となる。
【００１６】
【発明の実施の形態】
（第一の実施形態）
以下、本発明を図１に示す光ディスク装置に実施した形態につき、図面に沿って具体的に説明する。図１に示すように、この光ディスク装置には、スピンドルモータ、アクチュエータ、スレッドモータをＰＷＭ駆動方式にしたがって駆動させるＰＷＭ駆動ＩＣ１０を搭載した回路基板１（以下、ＰＷＭ駆動回路基板という）が備えられ、ＰＷＭ駆動ＩＣ１０は配線パターンを介してコネクタ１３に接続されている。ＰＷＭ駆動ＩＣ１０からは、異なったパルス幅の信号がＰＷＭ駆動信号として出力され、この信号は、ＰＷＭ駆動信号ライン１１を介して信号伝達される。
【００１７】
ＰＷＭ駆動信号ライン１１の付近に、他の信号ラインとしてアナログ信号ラインが形成されている場合、本実施形態では、ＰＷＭ駆動信号ライン１１と、該当アナログ信号ライン１２とを、距離Ｄだけ離れた位置関係で形成する。両ライン間の距離Ｄは、間隔が大きい程、磁界変動の影響をより低減できるが、これにより、機器の大型化する問題が生じるため、本実施例では、アナログ信号ライン１２がＰＷＭ駆動信号ライン１１付近の磁界変動の影響を受けない程度の距離が最適距離として決定され、距離Ｄは例えば２．０ｍｍ〜３．８５ｍｍとされている。上記最適距離は、予め測定、あるいは実験などを通じて得られる磁界変動の大きさに基づいて決められる。
【００１８】
ところで、電流変化によって発生する磁界は、通常、信号ラインに近いほど強く、距離が開くほど弱くなるという性質をもっている。そのため、ＰＷＭ駆動信号ライン１１からアナログ信号ライン１２を距離Ｄだけ離すことにより、磁界の影響が低減される。すなわち、磁界変動の影響によって生じる高周波ノイズがアナログ信号ライン１２に入り込むのを抑制することができる。したがって、アナログ信号ライン上で伝達されるアナログ信号の品質劣化が避けられ、ビットエラーレートの悪化してしまうのを防ぐことができる。
【００１９】
（実施例の変形例１）
図２は、ＦＦＣ（フレレキシブルフラットケーブル）とＰＷＭ駆動回路基板（＝プリント配線板）２との接続方法を示す図である。ＦＦＣ２１は、平角の導体２２を平行に並べ、上下から　その導体２２を薄い絶縁テープによって接着した薄型の配線材料である。一方、ＦＦＣ２１の接続端子が接続されるＰＷＭ駆動回路基板２上には、複数個の配線板側接続端子（図示せず）が、上記接続端子と同一のピッチとなるように、ＰＷＭ駆動回路基板２の端辺に沿って等間隔に並列して設けられている。
【００２０】
本発明は、このようなＦＦＣ２１に対しても適用することが可能である。例えば、図３に示すように、ＦＦＣ２１の導体２２部分のＰＷＭ駆動信号ライン２３と、アナログ信号ライン２４とを距離Ｄだけ離した位置関係でパターン形成すればよい。
【００２１】
上記実施例の変形例では、ＰＷＭ駆動回路基板２との接続にＦＦＣ２１が用いられる場合について説明したが、このような機器用配線材は、直線状であるため、配線条件に制約があり、配線の自由度が低いといった欠点がある。これに対して、機器部品の配置に合わせて回路設計を行い、この回路をエッチング等でベースフィルムに圧延銅箔や電解銅箔により形成し、その上にオーバーレイフィルムを被覆したフレキシブルプリント基板（ＦＰＣ）と呼ばれるものがある。このＦＰＣは、回路が機器部品の配置に合わせて設けられているため、機器部品間を無理なく接続できるという利点がある。本発明は、このようなＦＰＣに対しても適用することが可能である。以下、具体的な実施例について説明する。
【００２２】
（実施例の変形例２）
図４は、ＦＰＣ３１とＰＷＭ駆動回路基板３との接続方法を示す図である。この例の場合、ＦＰＣ３１をＰＷＭ駆動回路基板３上のコネクタ３３に直に差し込み、ＦＰＣ３１およびＰＷＭ駆動回路基板３間の電気的な接続を図っている。ＦＰＣ３１は、柔軟性のあるポリイミド製のプリント基板で、並列状態で直線状態に延びる複数の導体を二枚の絶縁フィルム間で挾み込んだものである。ＦＰＣ３１の端部３２には、複数個の接続端子が等間隔に並列して設けられており、各接続端子には、配線（図示せず）が接続されている。
【００２３】
本発明を上記のようなＦＰＣに対して適用した場合、図５に示すように、ＰＷＭ駆動信号用接続端子に接続されるＰＷＭ駆動信号ライン３４と、直近のアナログ信号ライン３５とを距離Ｄだけ離した位置関係でパターン形成すればよい。
【００２４】
（第二の実施形態）
上述した第一の実施形態は、ＰＷＭ駆動信号ラインと、アナログ信号ラインとを距離Ｄだけ離した位置関係でパターン形成する形態であったが、両ライン間の距離が距離Ｄを確保できない場合、両ライン間にＧＮＤライン５０を挟み込む形態であってもよい（図６参照）。これにより、アナログ信号ラインに対する磁界変動の直接的な影響を防ぐことができる。
【００２５】
また、上述したＦＦＣ２１とＦＰＣ３１とをコネクタ等で接続する場合においても、本発明を適用することが可能であり、本発明の主旨を逸脱するものではない。
【００２６】
上述したように本実施形態によれば、ＰＷＭ駆動信号ライン付近に他の信号ラインとしてアナログ信号ラインが形成されている場合に、ＰＷＭ駆動信号ライン付近に生じる磁界変動の影響をそのアナログ信号ラインが受けないようＰＷＭ駆動信号ラインとアナログ信号ラインを距離Ｄだけ離すようにしたため、磁界変動によって発生した高周波ノイズがアナログ信号ラインに入り込んでしまうのを抑制することができる（アナログ信号にのるノイズレベルを低くできる）。その結果、アナログ信号のＳ／Ｎ比が改善され、ビットエラーレートが悪化してしまうのを防ぐことができる。
【００２７】
上記例において、ＰＷＭ駆動回路基板が請求項６〜９記載のプリント基板に対応する。
【００２８】
【発明の効果】
以上、説明したように、本願発明によれば、ＰＷＭ駆動信号ライン付近に他の信号ラインとしてアナログ信号ラインが形成されている場合に、ＰＷＭ駆動信号ライン付近に生じる磁界変動の影響をそのアナログ信号ラインが受けないようＰＷＭ駆動信号ラインとアナログ信号ラインを距離Ｄだけ離すようにしたため、磁界変動によって発生した高周波ノイズがアナログ信号ラインに入り込んでしまうのを抑制することができる。その結果、アナログ信号のＳ／Ｎ比が改善され、ビットエラーレートが悪化してしまうのを防ぐことができる。
【００２９】
【図面の簡単な説明】
【図１】本発明の第一実施形態を示す図である。
【図２】ＦＦＣとＰＷＭ駆動回路基板との接続方法を示す図である。
【図３】図２に示すＦＦＣ上のＰＷＭ駆動信号ラインとアナログ信号ラインのパターン形成図である。
【図４】ＦＰＣとＰＷＭ駆動回路基板との接続方法を示す図
である。
【図５】図４に示すＦＰＣ上のＰＷＭ駆動信号ラインとアナログ信号ラインのパターン形成図である。
【図６】本発明の第二実施形態を示す図である。
【符号の説明】
１、２、３、４　ＰＷＭ駆動回路基板
１０、２０、３０、４０　ＰＷＭ駆動ＩＣ
１１、２３、３４、４１　ＰＷＭ駆動信号ライン
１２、２４、３５、４２　アナログ信号ライン
１３、３３、４３　コネクタ
２１　ＦＦＣ（フレレキシブルフラットケーブル）
２２　導体
３１　ＦＰＣ（フレキシブルプリント基板）
３２　端部
５０　ＧＮＤライン
【図１】
2004118964.tif 000003
【図２】
2004118964.tif 000004
【図３】
2004118964.tif 000005
【図４】
2004118964.tif 000006
【図５】
2004118964.tif 000007
【図６】
2004118964.tif 000008